(57)【特許請求の範囲】
【請求項１】
ディスク型記録媒体に記録されている情報を読み出して再生動作を行う再生手段と、
前記再生手段による再生動作の終了や再開を指示する操作手段と、
前記操作手段による終了指示に応じて前記再生手段による再生動作を終了する際に、再生動作が終了した再生箇所を示す再生位置情報と、この再生箇所から前記再生手段による再生動作を開始するために必要な管理情報が格納されている前記ディスク型記録媒体のアドレス情報とを格納する再生情報格納手段と、
前記操作手段による終了指示に応じて前記再生手段による再生動作が終了した後に再生指示がなされたときに、前記再生情報格納手段に格納された前記再生位置情報と前記アドレス情報に基づいて前記ディスク型記録媒体の情報読出し位置を設定する読出し位置設定手段と、
を備え、前記読出し位置設定手段は、再生開始時に最初に再生すべき内容が予め決まっており手動操作による再生位置の変更が制限されている場合にこの制限内容にしたがって前記ディスク型記録媒体の情報読出し位置を設定し、制限が解除されたときに前記再生位置情報と前記アドレス情報に基づいて前記ディスク型記録媒体の情報読出し位置を設定することを特徴とするディスク再生装置。
【請求項２】
ディスク型記録媒体に記録されている情報を読み出して再生動作を行う再生手段と、
前記再生手段による再生動作の終了や再開を指示する操作手段と、
前記操作手段による終了指示に応じて前記再生手段による再生動作を終了する際に、再生動作が終了した再生箇所を示す再生位置情報と、この再生箇所から前記再生手段による再生動作を開始するために必要な管理情報が格納されている前記ディスク型記録媒体のアドレス情報とを格納する再生情報格納手段と、
電源投入時に再生動作が開始される際に、前記再生情報格納手段に格納された前記再生位置情報と前記アドレス情報に基づいて前記ディスク型記録媒体の情報読出し位置を設定する読出し位置設定手段と、
を備え、前記読出し位置設定手段は、電源投入時に最初に再生すべき内容が予め決まっており手動操作による再生位置の変更が制限されている場合にこの制限内容にしたがって前記ディスク型記録媒体の情報読出し位置を設定し、制限が解除されたときに前記再生位置情報と前記アドレス情報に基づいて前記ディスク型記録媒体の情報読出し位置を設定することを特徴とするディスク再生装置。
【請求項３】
請求項１または２において、
前記再生情報格納手段は、前記操作手段による終了指示に応じて前記再生手段による再生動作を終了する際に、前記再生位置情報および前記アドレス情報とともに、再生動作が終了した前記ディスク型記録媒体の識別情報を格納しており、
前記読出し位置設定手段は、前記操作手段による終了指示に応じて前記再生手段による再生動作が終了した後に再生指示がなされたときに、その時点で装填されている前記ディスク型記録媒体に対応する前記再生位置情報と前記アドレス情報を前記識別情報を用いて読み出して、前記情報読出し位置の設定を行うことを特徴とするディスク再生装置。
【請求項４】
請求項１または２において、
複数の前記ディスク型記録媒体が装填可能であり、再生対象となる一の前記ディスク型記録媒体を選択するディスク選択機構をさらに備えており、
前記再生情報格納手段は、前記操作手段による終了指示に応じて前記再生手段による再生動作を終了する際に、前記再生位置情報および前記アドレス情報とともに、再生動作が終了した前記ディスク型記録媒体の識別情報を格納しており、
前記読出し位置設定手段は、前記操作手段による終了指示に応じて前記再生手段による再生動作が終了した後に再生指示がなされたときに、その時点で前記ディスク選択機構によって選択されている一の前記ディスク型記録媒体に対応する前記再生位置情報と前記アドレス情報を前記識別情報を用いて読み出して、前記情報読出し位置の設定を行うことを特徴とするディスク再生装置。
【発明の詳細な説明】
【０００１】
【発明の属する技術分野】
本発明は、デジタルバーサタイルディスク（ＤＶＤ）等のディスク型記録媒体に記録されている映像や音声等の再生を行うディスク再生装置に関する。
【０００２】
【従来の技術】
近年、ディスク型記録媒体としてＤＶＤが広く普及している。このＤＶＤは、直径が１２ｃｍで厚さが１．２ｍｍであり、ＣＤ（コンパクトディスク）と同じ形状ながら、記録密度を上げることにより単層で４．７ＧＢ、２層で８．５ＧＢの記憶容量を実現している。
【０００３】
ＤＶＤには、ＭＰＥＧ２等による画像データ圧縮技術やオーディオデータ圧縮技術の採用により、様々な種類のデータが混在して格納されているとともに、各種の機能を実現するための制御データが格納されている。ＤＶＤに映画を記録する場合を考えると、通常はビデオデータやオーディオデータが格納されるが、例えば、これら以外に複数の言語の字幕データを格納しておくことにより、利用者が選択した言語の字幕を表示することが可能となる。
【０００４】
【発明が解決しようとする課題】
ところで、従来のディスク再生装置では、ＤＶＤに記録された映像や音声等の再生を開始する際には、始めに、再生動作を制御するために必要なデータである管理情報を読み出してメモリに格納する処理を行っている。管理情報はそのデータ量が大きいため、従来のディスク再生装置では、メモリ容量の都合上、必要最低限のデータのみが選別して読み出される。この管理情報の読み出し処理は、（１）所定単位のデータを読み出し、（２）必要なデータだけを選別してメモリに書き込み、（３）読み出したデータやその他のデータに基づいて次のデータ読み出し位置を判断し、光ピックアップをＤＶＤの径方向に移動させてデータ読み出し位置をサーチするという処理を何度も（例えば、数百回）繰り返すことにより行われる。このため、従来のディスク再生装置では、再生を開始するまでにある程度の時間がかかっている。
【０００５】
このような管理情報の読み出し処理は、ディスク再生装置の電源投入後、未再生のＤＶＤあるいは再生途中で一旦排出されたＤＶＤを装填して再生動作を開始する場合だけでなく、既に装填されているＤＶＤにおいて一旦再生動作を終了し、再生終了時の再生箇所から再生動作を再開する場合についても同様にして行われる。このため、前回の再生箇所から再生を再開する場合であっても、再生動作が開始されるまでにある程度の時間がかかることとなり、この点に不満を感じる利用者が多く、前回の再生箇所からの再生動作を開始するまでに要する時間を短縮することができるディスク再生装置が望まれている。
【０００６】
本発明は、このような点に鑑みて創作されたものであり、その目的は、前回の再生箇所からの再生動作を開始するまでに要する時間を短縮することができるディスク再生装置を提供することにある。
【０００７】
【課題を解決するための手段】
上述した課題を解決するために、本発明のディスク再生装置は、再生手段により、ディスク型記録媒体に記録されている情報を読み出して再生動作を行っており、操作手段による終了指示に応じて再生手段による再生動作を終了する際に、再生動作が終了した再生箇所を示す再生位置情報と、この再生箇所から再生手段による再生動作を開始するために必要な管理情報が格納されているディスク型記録媒体のアドレス情報とを再生情報格納手段により格納している。そして、操作手段による終了指示に応じて再生手段による再生動作が終了した後に再生指示がなされたときに、再生情報格納手段に格納された再生位置情報とアドレス情報に基づいて、読出し位置設定手段によりディスク型記録媒体の情報読出し位置を設定している。
【０００８】
再生位置情報とともに、再生箇所から再生動作を開始するために必要な管理情報が格納されているディスク型記録媒体のアドレス情報を格納しているので、再生指示に応じて前回の再生箇所からの再生動作を行う際には、アドレス情報に基づいて必要な管理情報だけを効率よく読み出すことができる。したがって、必要な管理情報を選別する処理が不要となるので、前回の再生箇所からの再生動作を開始するまでに要する時間を短縮することができる。
【０００９】
また、本発明のディスク再生装置は、再生手段により、ディスク型記録媒体に記録されている情報を読み出して再生動作を行っており、操作手段による終了指示に応じて再生手段による再生動作を終了する際に、再生動作が終了した再生箇所を示す再生位置情報と、この再生箇所から再生手段による再生動作を開始するために必要な管理情報が格納されているディスク型記録媒体のアドレス情報とを再生情報格納手段により格納している。そして、電源投入時に再生動作が開始される際には、再生情報格納手段に格納された再生位置情報とアドレス情報に基づいて、読出し位置設定手段によりディスク型記録媒体の情報読出し位置を設定している。
【００１０】
再生位置情報とともに、再生箇所からの再生動作を開始するために必要な管理情報が格納されているディスク型記録媒体のアドレス情報を格納しているので、電源投入時に前回の再生箇所からの再生動作を行う際には、アドレス情報に基づいて必要な管理情報だけを効率よく読み出すことができる。したがって、必要な管理情報を選別する処理が不要となり、前回の再生箇所からの再生動作を開始するまでに要する時間を短縮することができる。
【００１１】
上述した読出し位置設定手段は、電源投入時に再生開始位置が制限されている場合には、この制限内容にしたがってディスク型記録媒体の情報読出し位置を設定し、制限が解除されたときに再生位置情報とアドレス情報に基づいてディスク型記録媒体の情報読出し位置を設定することが望ましい。これにより、電源投入時に、一時的に手動操作による再生位置の変更を制限する旨の情報がディスク型記録媒体に記録されている場合であっても、再生が進んで制限が解除された後には、煩雑な操作を行うことなく速やかに前回の再生箇所からの再生動作を開始することができる。
【００１２】
また、操作手段による終了指示に応じて再生手段による再生動作を終了する際に、再生情報格納手段によって、再生位置情報およびアドレス情報とともに、再生動作が終了したディスク型記録媒体の識別情報を格納しておき、操作手段による終了指示に応じて再生手段による再生動作が終了した後に再生指示がなされたときには、読出し位置設定手段により、その時点で装填されているディスク型記録媒体に対応する再生位置情報とアドレス情報を識別情報を用いて読み出して、情報読出し位置の設定を行うことが望ましい。ディスク型記録媒体の識別情報を格納しておくことにより、再生対象とするディスク型記録媒体が変更された場合にも、それぞれのディスク型記録媒体について、前回の再生箇所からの再生動作を開始する際の時間を短縮することができる。
【００１３】
また、複数のディスク型記録媒体が装填可能であり、再生対象となる一のディスク型記録媒体を選択するディスク選択機構をさらに備えている場合には、操作手段による終了指示に応じて再生手段による再生動作を終了する際に、再生情報格納手段によって、再生位置情報およびアドレス情報とともに、再生動作が終了したディスク型記録媒体の識別情報を格納しておき、操作手段による終了指示に応じて再生手段による再生動作が終了した後に再生指示がなされたときには、読出し位置設定手段により、その時点でディスク選択機構によって選択されている一のディスク型記録媒体に対応する再生位置情報とアドレス情報を識別情報を用いて読み出して、情報読出し位置の設定を行うことが望ましい。これにより、複数のディスク型記録媒体が装填されており、再生対象となるディスク型記録媒体を任意に変更した場合にも、それぞれのディスク型記録媒体について、前回の再生箇所からの再生動作を開始する際の時間を短縮することができる。
【００１４】
【発明の実施の形態】
以下、本発明を適用した一実施形態のディスク再生装置について図面を参照しながら説明する。
（１）ＤＶＤに記録されたデータの内容
まず、ディスク型記録媒体としてのＤＶＤに記録されたデータの詳細について説明する。
【００１５】
図１は、ＤＶＤのボリューム空間の構造を示す図である。図１に示すように、ＤＶＤのボリューム空間は、ＤＶＤの内周から外周に向かって、ボリューム・ファイル構造、ＤＶＤ−Ｖｉｄｅｏゾーン、ＤＶＤ  ｏｔｈｅｒゾーンによって構成されている。これらのうち、ＤＶＤ−Ｖｉｄｅｏゾーンには、再生動作に必要な各種のデータが含まれている。ＤＶＤ−Ｖｉｄｅｏゾーンは、ビデオマネージャ（ＶＭＧ）と、各タイトルに対応する１つ以上のビデオタイトルセット（ＶＴＳ）によって構成されている。
【００１６】
図２は、ＶＭＧのデータ構造を示す図である。図２に示すように、ＶＭＧは、ビデオマネージャ情報（ＶＭＧＩ）、ＶＭＧメニュー用ビデオオブジェクトセット（ＶＭＧＭ＿ＶＯＢＳ）、ＶＭＧＩのバックアップ用ファイル（ＶＭＧＩ＿ＢＵＰ）によって構成されている。
【００１７】
ＶＭＧＩは、ＶＴＳに関する情報（ＶＴＳの数、各ＶＴＳを識別するためのＶＴＳ番号、ＤＶＤ内の各ＶＴＳの格納位置等）、タイトルメニューに表示されるタイトルの表示順、１つ以上のプログラムチェーン情報（ＰＧＣＩ）、ＤＶＤを識別するためのディスクＩＤ（ＤＶＤ＿ＩＤ）、ディスク名（例えば映画の題名）等が含まれている。ＶＭＧＭ＿ＶＯＢＳは、１つ以上のビデオオブジェクト（ＶＯＢ）によって構成されている。このＶＯＢは、タイトルを選択するためのメニュー画面（タイトルメニュー画面）を再生する際の再生データであるビデオデータを含んでいる。
【００１８】
図３は、ＶＴＳのデータ構造を示す図である。図３に示すように、ＶＴＳは、ビデオタイトルセット情報（ＶＴＳＩ）、ＶＴＳメニュー用ビデオオブジェクトセット（ＶＴＳＭ＿ＶＯＢＳ）、ＶＴＳタイトル用ビデオオブジェクトセット（ＶＴＳＴＴ＿ＶＯＢＳ）、ＶＴＳＩのバックアップ用ファイル（ＶＴＳＩ＿ＢＵＰ）によって構成されている。
【００１９】
ＶＴＳＩは、タイトルに関する情報、ＶＴＳ内の各チャプタ（ＰＴＴ）を識別するためのＰＴＴ番号、１つ以上のＰＧＣＩ等が含まれている。ＶＴＳＭ＿ＶＯＢＳおよびＶＴＳＴＴ＿ＶＯＢＳは、１つ以上のＶＯＢによって構成されている。このＶＯＢは、ビデオデータやオーディオデータ等の再生データを含んでいる。
【００２０】
タイトルの再生データは、ＶＴＳＴＴ＿ＶＯＢＳ内のＶＯＢ＃１〜＃ｉに含まれている。チャプタは、タイトルを分割した単位であり、チャプタの再生データは、ＶＴＳＴＴ＿ＶＯＢＳ内の１あるいは複数のＶＯＢに含まれる。例えば、図３に示すように、タイトルはチャプタ＃１〜＃ｐに分割されており、チャプタ＃１の再生データはＶＯＢ＃１〜＃３に含まれており、チャプタ＃２の再生データは、ＶＯＢ＃４、＃５に含まれている。
【００２１】
図４は、上述したＶＭＧＭ＿ＶＯＢＳ、ＶＴＳＭ＿ＶＯＢＳ、ＶＴＳＴＴ＿ＶＯＢＳに含まれるＶＯＢのデータ構造を示す図である。図４に示すように、ＶＯＢは、複数のセルによって構成されている。そして、各セルは、複数のビデオオブジェクトユニット（ＶＯＢＵ）によって構成されている。
【００２２】
各ＶＯＢＵは、ナビゲーションパック（ＮＶ＿ＰＣＫ）と、ビデオパック（Ｖ＿ＰＣＫ）、サブピクチャパック（ＳＰ＿ＰＣＫ）およびオーディオパック（Ａ＿ＰＣＫ）の少なくとも１つを含んで構成されている。
ＮＶ＿ＰＣＫは、再生制御情報（ＰＣＩ）、データサーチ情報（ＤＳＩ）を含んで構成されている。ＰＣＩとＤＳＩには、ＶＯＢＵのデータ量、タイトルの再生を開始してから対応するＶＯＢＵの再生を開始するまでの再生時間、次に再生すべきＶＯＢＵの位置等の情報が設定されている。
【００２３】
Ｖ＿ＰＣＫ、ＳＰ＿ＰＣＫ、Ａ＿ＰＣＫは、それぞれ再生データの種別（動画、サブピクチャ、オーディオ）等の情報が含まれているパックヘッダ、パケットヘッダや、データ圧縮されたビデオデータ、サブピクチャデータ、オーディオデータ（圧縮再生データ）を含んで構成されている。
【００２４】
再生動作における論理的な再生単位であるプログラムチェーン（ＰＧＣ）は、プログラムチェーン情報（ＰＧＣＩ）と、１あるいは複数のＶＯＢに含まれる複数のセルによって構成される。例えば、ＶＭＧＩ内の１個のＰＧＣＩとＶＭＧＭ＿ＶＯＢＳ内のＶＯＢに含まれるセルによってＰＧＣが構成される。また、ＶＴＳＩ内の１個のＰＧＣＩとＶＴＳＭ＿ＶＯＢＳ内のＶＯＢに含まれるセルによってＰＧＣが構成される。あるいは、ＶＴＳＩ内の１個のＰＧＣＩとＶＴＳＴＴ＿ＶＯＢＳ内のＶＯＢに含まれるセルによってＰＧＣが構成される。
【００２５】
図５は、ＰＧＣの構造の一例を示す図であり、ＶＴＳＩ内のＰＧＣＩとＶＴＳＴＴ＿ＶＯＢＳ内のＶＯＢに含まれるセルによって構成されるＰＧＣの構造が示されている。図５に示すように、例えばＰＧＣ＃１は、ＶＴＳＩ内のＰＧＣＩ＃１とＶＴＳＴＴ＿ＶＯＢＳ内のＶＯＢ＃１〜＃３に含まれるセルによって構成されている。また、ＰＧＣ＃２は、ＶＴＳＩ内のＰＧＣＩ＃２とＶＴＳＴＴ＿ＶＯＢＳ内のＶＯＢ＃４、＃５に含まれるセルによって構成されている。
【００２６】
なお、ＶＭＧＩ内のＰＧＣＩとＶＭＧＭ＿ＶＯＢＳのＶＯＢ内のセルによって構成されるＰＧＣや、ＶＴＳＩ内のＰＧＣＩとＶＴＳＭ＿ＶＯＢＳのＶＯＢ内のセルによって構成されるＰＧＣも、図５に示したＰＧＣと同様の構造を有している。また、ＰＧＣＩには、対応する複数のＶＯＢの再生順序や、次に再生動作を行うＰＧＣに関する情報等が含まれている。このＰＧＣＩのなかには、ＦＰ＿ＰＧＣＩ（ファーストプレイＰＧＣＩ）といわれるナビゲーションデータがある。このＦＰ＿ＰＧＣＩには、ＤＶＤの再生を開始する際に最初に再生するＰＧＣを特定する情報が含まれている。
【００２７】
また、再生動作中の利用者の操作は、ＰＧＣＩと上述したＰＣＩ内のユーザ操作コントロール（ＵＯＰ）によって、禁止または許可することができる。つまり、ＵＯＰといわれるナビゲーションデータは、タイトル毎、ＰＧＣ毎、ＶＯＢＵ毎に使用者の操作を受け付けるかどうかの判断に使用される。したがって、ＦＰ＿ＰＧＣＩで最初に再生すべきタイトルを指定し、ＵＯＰでそのタイトルの再生中は利用者のサーチ操作を禁止することができる。つまり、ＦＰ＿ＰＧＣＩとＵＯＰによって、ＤＶＤに記録されている映画を再生する場合に、最初に映画会社のデモ画面を再生し、利用者がこの再生映像をスキップできないように再生動作を制限することができる。
【００２８】
再生動作の際に実行されるナビゲーションコマンドには、利用者の操作指示に対応して実行されるボタンコマンド（ＢＴＮ＿ＣＭＤ）、ＰＧＣの再生開始前に実行されるプリコマンド（ＰＲＥ＿ＣＭＤ）、ＰＧＣ内の１つのセルの再生が終了するごとに実行されるセルコマンド（Ｃ＿ＣＭＤ）、ＰＧＣの再生終了後に実行されるポストコマンド（ＰＯＳＴ＿ＣＭＤ）がある。これらの内、ＢＴＮ＿ＣＭＤは、上述したＰＣＩに含まれており、ＰＲＥ＿ＣＭＤ、Ｃ＿ＣＭＤ、ＰＯＳＴ＿ＣＭＤは、上述したＰＧＣＩに含まれている。
【００２９】
ナビゲーションコマンドの実行時には、ナビゲーションパラメータが変数として用いられる。このナビゲーションパラメータには、システムパラメータ（ＳＰＲＭ）とゼネラルパラメータ（ＧＰＲＭ）とがあり、ディスク再生装置の内部にそれぞれの格納領域が設けられる。ＳＰＲＭとＧＰＲＭは、ナビゲーションコマンドの実行に応じて設定あるいは更新され、それ以降のナビゲーションコマンドの実行時に変数として用いられる。
【００３０】
（２）ディスク再生装置の全体構成
図６は、本発明を適用した一実施形態のディスク再生装置の全体構成を示す図である。図６に示すディスク再生装置１００は、スピンドルモータ１２、光ピックアップ１４、送りモータ１６、サーボ制御部１８、ＲＦアンプ２２、デジタル信号処理部２４、４個のバッファ用ＲＡＭ２６、３４、３８、４２、ストリーム分離部３０、オーディオデコーダ３２、ビデオデコーダ３６、サブピクチャデコーダ４０、ビデオプロセッサ４４、ビデオエンコーダ４６、ディスプレイ装置４７、デジタル−アナログ（Ｄ／Ａ）変換器４８、スピーカ４９、操作部５８、システムコントローラ６０、ＲＡＭ６２を含んで構成されている。
【００３１】
スピンドルモータ１２は、ＤＶＤ１０を所定速度で回転させる。光ピックアップ１４は、ＤＶＤ１０に記録されたデータを検出するものであり、例えば半導体レーザとホトダイオードとが内蔵されている。送りモータ１６は、光ピックアップ１４をＤＶＤ１０の径方向に移動させるものである。
【００３２】
サーボ制御部１８は、システムコントローラ６０の指示に応じて、上述したスピンドルモータ１２および送りモータ１６を駆動するとともに、光ピックアップ１４に内蔵された対物レンズ（図示せず）を動かすことにより、半導体レーザの焦点位置をＤＶＤ１０の記録面と垂直方向および水平方向に移動させる。また、サーボ制御部１８は、ＤＶＤ１０からのデータの読み取りに必要な各種のサーボ（フォーカスサーボ、トラッキングサーボ、回転サーボ）制御を行う。
【００３３】
ＲＦアンプ２２は、光ピックアップ１４に内蔵されたホトダイオードから出力される電気信号を増幅する。デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い、ＲＡＭ２６に格納する。そして、デジタル信号処理部２４は、システムコントローラ６０の指示に応じて、ＲＡＭ２６に格納したデータからＶＭＧＩやＶＴＳＩを抽出してシステムコントローラ６０に出力するとともに、ＶＯＢＵを抽出してストリーム分離部３０に出力する。
【００３４】
ストリーム分離部３０は、システムコントローラ６０の指示に応じて、デジタル信号処理部２４から出力されるＶＯＢＵを構成するパックヘッダを解析することにより、Ａ＿ＰＣＫ、Ｖ＿ＰＣＫ、ＳＰ＿ＰＣＫ、ＮＶ＿ＰＣＫを分離する。ストリーム分離部３０によって分離されたＡ＿ＰＣＫはオーディオデコーダ３２に出力され、Ｖ＿ＰＣＫはビデオデコーダ３６に出力され、ＳＰ＿ＰＣＫはサブピクチャデコーダ４０に出力され、ＮＶ＿ＰＣＫはシステムコントローラ６０に転送される。
【００３５】
オーディオデコーダ３２は、ストリーム分離部３０から出力されるＡ＿ＰＣＫに対して所定のデコード処理を行ってオーディオデータを出力する。ビデオデコーダ３６は、ストリーム分離部３０から出力されるＶ＿ＰＣＫに対して所定のデコード処理を行ってビデオデータを出力する。サブピクチャデコーダ４０は、ストリーム分離部３０から出力されるＳＰ＿ＰＣＫに対して所定のデコード処理を行ってサブピクチャデータを出力する。
【００３６】
ビデオプロセッサ４４は、システムコントローラ６０の指示に応じて、ビデオデコーダ３６から出力されるビデオデータとサブピクチャデコーダ４０から出力されるサブピクチャデータとを合成した画像データを生成し、ビデオエンコーダ４６に出力する。
【００３７】
ビデオエンコーダ４６は、ビデオプロセッサ４４から出力される画像データを表示用の画像信号に変換する。この画像信号がディスプレイ装置４７に出力されることによって、画像が表示される。
Ｄ／Ａ変換器４８は、オーディオデコーダ３２から出力されるオーディオデータをアナログのオーディオ信号に変換する。このオーディオ信号がスピーカ４９に出力されることによって、オーディオ音声の再生が行われる。
【００３８】
操作部５８は、再生開始を指示するための再生キーや再生停止を指示するための停止キー、再生の一時停止を指示するための一時停止キー、左右上下のカーソルキー、表示画面上のカーソル位置にある項目の確定を行う設定キー等の各種操作キーを備えており、キーの操作状態に応じた信号をシステムコントローラ６０に向けて出力する。
【００３９】
システムコントローラ６０は、各種のサーボ指令をサーボ制御部１８に出力したり、利用者の操作指示に応じた画像生成指示をビデオプロセッサ４４に出力する等、全機能ブロックの制御を行う。具体的には、システムコントローラ６０は、デジタル信号処理部２４から出力されるデータに含まれるＶＭＧＩ、ＶＴＳＩ、ストリーム分離部３０から出力されるＮＶ＿ＰＣＫを受け取って、これらに含まれるナビゲーションコマンドを実行することにより、各種のサーボ指令をサーボ制御部１８に出力したり、利用者の操作指示に応じた画像生成指示をビデオプロセッサ４４に出力する等、再生動作に必要な各種の制御を行う。
【００４０】
またシステムコントローラ６０は、利用者により操作部５８が操作されて所定の終了指示が行われ、この終了指示に応じて再生動作を終了する際に、それまで再生されていたＤＶＤ１０を特定するディスク識別情報と、再生動作を終了した位置（以下、「再生箇所」と称する）を示す再生位置情報と、再生箇所から再生動作を開始させるために必要な管理情報のＤＶＤ１０上での格納位置（アドレス）を示すアドレス情報をＲＡＭ６２に格納する。
【００４１】
またシステムコントローラ６０は、装填されているＤＶＤ１０が以前に再生途中であったか否かをＲＡＭ６２に格納されているデータを用いて判定し、以前に再生途中であるＤＶＤ１０が装填されている場合には、各種のサーボ指令をサーボ制御部１８に出力したり、画像生成指示をビデオプロセッサ４４に出力する等、前回の再生箇所から再生を開始する制御を行う。
【００４２】
図７は、ＲＡＭ６２に格納されるディスク識別情報、再生位置情報、アドレス情報の内容を示す図である。ディスク識別情報としては、ディスク再生装置１００に装填されているＤＶＤ１０のディスク名が用いられる。このディスク名は、上述したＶＭＧＩに含まれている。なお、ディスク識別情報としてディスクＩＤ（ＤＶＤ＿ＩＤ）を用いてもよい。
【００４３】
再生位置情報は、再生動作を終了した際にその直前まで再生されていたタイトルに対応するタイトル番号や、ＰＧＣＩ番号、セル番号、ＶＯＢＵのアドレス（格納位置）などの情報を含んでいる。また再生位置情報には、システムパラメータ（ＳＰＲＭ）およびゼネラルパラメータ（ＧＰＲＭ）や、再生制御状態（例えば、“ランダム”や“シャッフル”等）などの情報も含まれている。
【００４４】
アドレス情報は、再生動作が終了した箇所（再生箇所）から再生動作を再開するために必要な管理情報のＤＶＤ１０上でのアドレス（例えば、必要なＰＧＣＩが格納されているアドレス）の一覧を含んでいる。なお、ＲＡＭ６２は不揮発性メモリであり、ディスク再生装置１００の電源が落とされた場合にも、格納されているデータをそのまま保持するものとする。
【００４５】
上述したディスク再生装置１００の全体が再生手段に、操作部５８が操作手段に、システムコントローラ６０、ＲＡＭ６２が再生情報格納手段に、システムコントローラ６０が読出し位置設定手段にそれぞれ対応する。
本実施形態のディスク再生装置１００はこのような構成を有しており、次にその動作について説明する。図８は、一のＤＶＤ１０の再生動作を終了し、その後再生動作を再開する際のディスク再生装置１００の動作手順を示す流れ図である。
【００４６】
ＤＶＤ１０に記録されている映画等の再生動作を行っている際に、システムコントローラ６０は、利用者によって操作部５８が操作され、再生動作を終了する旨の指示（終了指示）が与えられたか否かを判定する（ステップ１００）。終了指示が与えられない間は否定判断がなされ、所定の再生動作が継続されるとともに、ステップ１００の判定が繰り返される。
【００４７】
終了指示が与えられると、ステップ１００で肯定判断がなされ、システムコントローラ６０は、ディスク識別情報、再生位置情報、アドレス情報のそれぞれをＲＡＭ６２に格納し（ステップ１０１）、その後、再生動作を終了する（ステップ１０２）。
【００４８】
次にシステムコントローラ６０は、利用者によって操作部５８が操作され、電源を落とす旨の指示（以後、「電源オフの指示」と称する）が与えられたか否かを判定する（ステップ１０３）。電源オフの指示が与えられた場合には肯定判断がなされ、システムコントローラ６０は、一連の処理を終了し、電源を落とす。
【００４９】
なお、本実施形態のディスク再生装置１００では、再生動作中に、終了指示を行うことなく電源オフの指示が与えられた場合には、終了指示が与えられたものと判断され（すなわちステップ１００で肯定判断がなされ）、ステップ１０１、１０２に示した処理が行われ、その後、ステップ１０３で肯定判断が行われて、一連の処理が終了するものとする。
【００５０】
電源オフの指示が与えられない場合には、上述したステップ１０３で否定判断がなされ、システムコントローラ６０は、利用者によって操作部５８が操作され、再生動作を開始する旨の指示（再生指示）が与えられたか否かを判定する（ステップ１０４）。再生指示が与えられない場合には否定判断がなされ、上述したステップ１０３に戻って以後の処理が繰り返される。
【００５１】
再生指示が与えられた場合には、ステップ１０４で肯定判断がなされ、システムコントローラ６０は、ＲＡＭ６２に格納されているアドレス情報を読み出し、これに基づいて、現在装填されているＤＶＤ１０における前回の再生箇所から再生動作を開始するために必要な管理情報を読み出す（ステップ１０５）。
【００５２】
次にシステムコントローラ６０は、ＲＡＭ６２から読み出した再生位置情報と、アドレス情報に基づいて読み出した管理情報に基づいて、ＤＶＤ１０のデータ読み出し位置を設定する（ステップ１０６）。
次にシステムコントローラ６０は、設定したデータ読み出し位置からデータの読み出しを開始し、読み出したデータに基づいて所定の再生動作を行う（ステップ１０７）。その後、上述したステップ１００に戻って以後の処理が繰り返される。
【００５３】
次に、電源投入時におけるディスク再生装置１００の動作手順について説明する。図９は、電源投入時に再生動作を開始する際のディスク再生装置１００の動作手順を示す流れ図である。
ディスク再生装置１００の電源が投入されると、システムコントローラ６０は、ＤＶＤ１０が装填されているか否かを判定する（ステップ２００）。ＤＶＤ１０が装填されていない場合には、ステップ２００で否定判断がなされ、次にシステムコントローラ６０は、利用者によって新たにＤＶＤ１０が装填されたか否かを判定する（ステップ２０１）。新たにＤＶＤ１０が装填されるまでの間は否定判断がなされ、ステップ２０１の判定が繰り返される。
【００５４】
電源投入時にＤＶＤ１０が装填されていた場合（ステップ２００で肯定判断）、または新たにＤＶＤ１０が装填された場合（ステップ２０１で肯定判断）に、システムコントローラ６０は、ＤＶＤ１０に記録されている管理情報などを読み出し、このＤＶＤ１０の再生開始位置が制限されているか否かを判定する（ステップ２０２）。
【００５５】
再生開始位置が制限されている場合には、ステップ２０２で肯定判断がなされ、システムコントローラ６０は、ＤＶＤ１０に記録されている制限内容にしたがって、データ読出し位置を設定し（ステップ２０３）、所定の再生動作を行う（ステップ２０４）。
【００５６】
また、ステップ２０４に示した再生動作と並行してシステムコントローラ６０は、再生に関する制限が解除されたか否かを判定する（ステップ２０５）。制限が解除されない間は否定判断がなされ、システムコントローラ６０は、上述したステップ２０３に戻って以後の処理を繰り返す。
【００５７】
再生開始位置が制限されていない場合（ステップ２０２で否定判断）、または制限が解除された場合（ステップ２０５で肯定判断）に、システムコントローラ６０は、現在再生対象となっているＤＶＤ１０に対応するディスク識別情報等のデータがＲＡＭ６２に格納されているか否か、すなわちＤＶＤ１０に関する再生履歴が存在する否かを判定する（ステップ２０６）。
【００５８】
再生履歴が存在する場合には、ステップ２０６で肯定判断がなされ、システムコントローラ６０は、再生対象のＤＶＤ１０に対応するアドレス情報をＲＡＭ６２から読み出し、これに基づいて、前回の再生箇所から再生動作を開始するために必要な管理情報を読み出す（ステップ２０７）。
【００５９】
次にシステムコントローラ６０は、ＲＡＭ６２から読み出した再生位置情報と、アドレス情報に基づいて読み出した管理情報に基づいて、ＤＶＤ１０のデータ読み出し位置を設定する（ステップ２０８）。
次にシステムコントローラ６０は、設定したデータ読み出し位置からデータの読み出しを開始し、読み出したデータに基づいて所定の再生動作を行う（ステップ２０９）。また、装填されているＤＶＤ１０に関する再生履歴が存在しない場合には、上述したステップ２０６で否定判断がなされ、この場合にもステップ２０９に移行し、利用者による操作指示に応じて所定の再生動作が行われる。
【００６０】
このように、本実施形態のディスク再生装置１００は、利用者による終了操作に応じて再生動作を終了する際に、それまでに再生していたＤＶＤ１０を特定するディスク識別情報と、再生箇所を示す再生位置情報と、再生箇所からの再生動作を開始するために必要な管理情報のＤＶＤ１０上での格納位置を示すアドレス情報を格納している。これにより、以後に行われる再生指示に応じて、あるいは電源投入時において前回の再生箇所からの再生動作を行う際には、アドレス情報に基づいて必要な管理情報だけを効率よく読み出すことができるので、必要な管理情報を選別する処理が不要となり、前回の再生箇所からの再生動作を開始するまでに要する時間を短縮することができる。
【００６１】
また、電源投入時における再生開始位置が制限されている場合には、この制限内容にしたがってデータ読出し位置（情報読出し位置）を設定し、制限が解除されたときに、再生位置情報とアドレス情報に基づいてデータ読出し位置を設定しているので、電源投入時に、一時的に手動操作による再生位置の変更を制限する旨の情報がＤＶＤ１０に記録されている場合であっても、再生が進んで制限が解除された後には、煩雑な操作を行うことなく速やかに前回の再生箇所からの再生動作を開始することができる。
【００６２】
なお、本発明は上記実施形態に限定されるものではなく、本発明の要旨の範囲内において種々の変形実施が可能である。例えば、一のＤＶＤ１０についての再生動作が終了した後にこのＤＶＤ１０が取り出されて、他のＤＶＤ１０と入れ替えられる場合も考えられるが、この場合には、新たなＤＶＤ１０が装填された後に図９に示したステップ２０２以降の処理を行うことにより、再生履歴が存在するＤＶＤ１０については、前回の再生箇所からの再生動作を行う際に要する時間を短縮することができる。
【００６３】
また上述した実施形態では、１枚のＤＶＤ１０を装填して再生動作を行うディスク再生装置１００について説明していたが、複数のＤＶＤ１０を装填可能であり、再生対象となる一のＤＶＤ１０を選択して再生動作を行うディスク再生装置に対しても本発明を適用することができる。
【００６４】
図１０は、複数のＤＶＤ１０を装填する機構を備えたディスク再生装置の部分的な構成を示す図である。図１０に示すディスク再生装置１００ａは、基本的に上述した実施形態のディスク再生装置１００と同様の構成を有しており、ディスクチェンジャ７０が追加された点が異なっている。
【００６５】
ディスクチェンジャ７０は、複数のＤＶＤ１０を装填可能であり、システムコントローラ６０の制御に応じて、再生対象となる一のＤＶＤ１０をスピンドルモータ１２にセットする機構を備えている。このディスクチェンジャ７０がディスク選択機構に対応している。
【００６６】
次に、図１０に示したディスク再生装置１００ａの動作について説明する。ディスク再生装置１００ａの動作は、基本的に上述したディスク再生装置１００の動作手順と同様である。
図１１は、複数のＤＶＤ１０を装填するディスク再生装置１００ａにおいて、再生対象とするＤＶＤ１０を切り替える場合の動作手順を部分的に示した流れ図である。
【００６７】
ディスクチェンジャ７０によって選択され、スピンドルモータ１２にセットされている一のＤＶＤ１０に記録されている映画等の再生動作を行っている際に、システムコントローラ６０は、再生対象とするＤＶＤ１０を切り替える旨の操作指示（切替指示）が行われたか否かを判定する（ステップ２２０）。切替指示が行われない場合には否定判断がなされ、ステップ２２０の判定が繰り返される。
【００６８】
切替指示が行われた場合には、ステップ２２０で肯定判断がなされ、システムコントローラ６０は、ディスク識別情報、再生位置情報、アドレス情報のそれぞれをＲＡＭ６２に格納し（ステップ２２１）、その後、再生動作を終了する（ステップ２２２）。
【００６９】
次にシステムコントローラ６０は、新たに再生対象となるＤＶＤ１０をディスクチェンジャ７０に指示する（ステップ２２３）。指示を受けたディスクチェンジャ７０は、それまで再生対象となっていたＤＶＤ１０を収容するとともに、新たに再生対象となるＤＶＤ１０を選択してスピンドルモータ１２にセットする。その後、上述した図９に示したステップ２０２以降と同様にして、新たに再生対象となったＤＶＤ１０の再生動作が行われる。
【００７０】
なお、ディスク再生装置１００ａにおいて、一のＤＶＤ１０の再生動作を一旦終了し、その後同一のＤＶＤ１０についての再生動作を再開する場合には、上述した図８に示した動作手順と同様の処理を行えばよい。
このように、複数のＤＶＤ１０を装填可能なディスクチェンジャ７０を備えたディスク再生装置１００ａでは、再生対象となるＤＶＤ１０を任意に変更した場合に、それぞれのＤＶＤ１０についてディスク識別情報、再生位置情報、アドレス情報をＲＡＭ６２に格納することにより、各ＤＶＤ１０について、前回の再生箇所から再生動作を開始する際に要する時間を短縮することができる。
【００７１】
また上述した実施形態では、ディスク型記録媒体の一例として、データ読み出し専用であり、映画等の映像や音声が記録されているＤＶＤ１０を想定して説明していたが、ディスク型記録媒体の種別はこれに限定されるものではなく、他の各種のディスク型記録媒体（例えば、データ書き換えが可能なＤＶＤ−ＲＡＭ等）を用いることも可能である。また、ディスク型記録媒体に記録される情報の内容についても、ＤＶＤ−Ｖｉｄｅｏ規格に従って作成された映画等の他に、ＤＶＤ−Ａｕｄｉｏ規格に従って記録される音楽等や、いわゆるビデオＣＤの規格に従って記録された映像や音声など種々の変形例が考えられる。
【００７２】
【発明の効果】
上述したように、本発明によれば、利用者による終了操作に応じて再生動作を終了する際に、再生箇所を示す再生位置情報と、再生箇所からの再生動作を開始するために必要な管理情報が格納されているディスク型記録媒体のアドレス情報が格納されるので、以後に行われる再生指示に応じて、あるいは電源投入時において前回の再生箇所からの再生動作を行う際には、アドレス情報に基づいて必要な管理情報だけを効率よく読み出すことができる。したがって、必要な管理情報を選別する処理が不要となり、前回の再生箇所からの再生動作を開始するまでに要する時間を短縮することができる。
【図面の簡単な説明】
【図１】ＤＶＤのボリューム空間の構造を示す図である。
【図２】ＶＭＧのデータ構造を示す図である。
【図３】ＶＴＳのデータ構造を示す図である。
【図４】ＶＯＢのデータ構造を示す図である。
【図５】ＰＧＣの構造の一例を示す図である。
【図６】一実施形態のディスク再生装置の全体構成を示す図である。
【図７】ディスク識別情報、再生位置情報、アドレス情報の内容を示す図である。
【図８】再生動作を終了する際のディスク再生装置の動作手順を示す流れ図である。
【図９】電源投入時に再生動作を開始する際のディスク再生装置の動作手順を示す流れ図である。
【図１０】複数のＤＶＤを装填する機構を備えたディスク再生装置の部分的な構成を示す図である。
【図１１】複数のＤＶＤを装填するディスク再生装置において、再生対象とするＤＶＤを切り替える場合の動作手順を部分的に示した流れ図である。
【符号の説明】
１０  ＤＶＤ
１２  スピンドルモータ
１４  光ピックアップ
１６  送りモータ
１８  サーボ制御部
２２  ＲＦアンプ
２４  デジタル信号処理部
３０  ストリーム分離部
３２  オーディオデコーダ
３６  ビデオデコーダ
４０  サブピクチャデコーダ
４４  ビデオプロセッサ
４６  ビデオエンコーダ
４７  ディスプレイ装置
４８  デジタル−アナログ（Ｄ／Ａ）変換器
４９  スピーカ
５８  操作部
６０  システムコントローラ
６２  ＲＡＭ
７０  ディスクチェンジャ
【図１】
0004588270.tif 000002
【図２】
0004588270.tif 000003
【図３】
0004588270.tif 000004
【図４】
0004588270.tif 000005
【図５】
0004588270.tif 000006
【図６】
0004588270.tif 000007
【図７】
0004588270.tif 000008
【図８】
0004588270.tif 000009
【図９】
0004588270.tif 000010
【図１０】
0004588270.tif 000011
【図１１】
0004588270.tif 000012